(57)【要約】【課題】基礎に対する設置構造物の傾斜角度調整の作業性を向上させることができる球面状支持部材を提供する。【解決手段】本発明に係る球面状支持部材１は、第１締結部材２を介して基礎３に固定される球面受け部材４と、第２締結部材５を介して設置構造物６に固定され、球面受け部材４に第３締結部材７を介して締結される球面固定部材８と、を備える。球面受け部材４は、基礎３に当接する平坦部４ａと、平坦部４ａに接続され上方に凸となるように膨出形成される凸状部４ｂと、凸状部４ｂの中央部に設けられ下方に凹となる曲面に形成される凹状面部４ｃと、を有する。球面固定部材８は、設置構造物６に当接する平坦部８ａと、平坦部８ａに接続され下方に凸となるように膨出形成される凸状部８ｂと、凸状部８ｂの中央部に設けられ、下方に凸となる曲面に形成されて球面受け部材４の凹状面部４ｃと面接触する凸状面部８ｃと、を有する。【選択図】図２
2016005326.tif 000002
【特許請求の範囲】
【請求項１】
第１締結部材を介して基礎に固定される球面受け部材と、第２締結部材を介して設置構造物に固定され、前記球面受け部材に第３締結部材を介して締結される球面固定部材と、を備え、
前記球面受け部材は、前記基礎に当接する平坦部と、この平坦部に接続され上方に凸となるように膨出形成される凸状部と、この凸状部の中央部に設けられ下方に凹となる曲面に形成される凹状面部と、を有し、
前記球面固定部材は、前記設置構造物に当接する平坦部と、この平坦部に接続され下方に凸となるように膨出形成される凸状部と、この凸状部の中央部に設けられ、下方に凸となる曲面に形成されて前記球面受け部材の凹状面部と面接触する凸状面部と、を有する
ことを特徴とする球面状支持部材。
【請求項２】
前記第３締結部材は、ボルト及びナットからなり、
前記球面受け部材の凹状面部及び前記球面固定部材の凸状面部にそれぞれ、前記第３締結部材を構成するボルトを挿通するためのボルト孔が形成されており、
前記球面受け部材の凹状面部に形成されたボルト孔及び前記球面固定部材の凸状面部に形成されたボルト孔の少なくとも一方は、長穴形状に形成されていることを特徴とする請求項１に記載の球面状支持部材。
【請求項３】
前記第１締結部材及び前記第２締結部材は、ボルト及びナットからなり、
前記球面受け部材の平坦部に、前記第１締結部材を構成するボルトを挿通するための第１ボルト孔が形成され、前記球面固定部材の平坦部には、前記第２締結部材を構成するボルトを挿通するための第２ボルト孔が形成され、
前記第１ボルト孔及び前記第２ボルト孔は、長穴形状に形成されており、前記第１ボルト孔と前記第２ボルト孔とで、長穴の延設方向が互いに異なっていることを特徴とする請求項１又は２に記載の球面状支持部材。
【請求項４】
前記球面受け部材の凹状面部及び前記球面固定部材の凸状面部は、絞り加工により形成されたことを特徴とする請求項１から３の何れか一項に記載の球面状支持部材。
【請求項５】
前記球面受け部材及び前記球面固定部材は、アルミニウム合金から形成されることを特徴とする請求項１から４の何れか一項に記載の球面状支持部材。
【請求項６】
請求項１から５の何れか一項に記載の球面状支持部材を利用した太陽光パネル用架台の固定構造であって、前記球面受け部材を基礎に前記第１締結部材により固定し、前記球面固定部材を太陽光パネル用架台の支柱に前記第２締結部材により固定したことを特徴とする太陽光パネル用架台の固定構造。
【発明の詳細な説明】
【技術分野】
【０００１】
本発明は、球面状支持部材及び太陽光パネル用架台の固定構造に関する。
【背景技術】
【０００２】
近年、太陽光パネルをはじめとした太陽光・太陽熱利用装置の普及が進み、これらの装置用構造物（架台等）が屋外に設置される機会が増えてきた。また、前記装置用構造物を設置する地面の傾斜や地盤の状態によっては、基礎の水平度にバラつきが生じるケースがあるため、このようなケースに対処するための方策が講じられてきた。
【０００３】
例えば、特許文献１には、基礎に固定した受け座部に形成された凸曲面の球座部と、設置構造物に固定した取付物固定部に形成された凹曲面とを面接触させ、取付物固定部を受け座部に対して傾けることにより、設置構造物を水平に設置することができる取付物支持ユニットが開示されている。
【先行技術文献】
【特許文献】
【０００４】
【特許文献１】特許第５０８１３２５号公報
【発明の概要】
【発明が解決しようとする課題】
【０００５】
しかしながら、前記特許文献１に記載の取付物支持ユニットでは、受け座部に形成された球座部が上方に凸となる凸曲面であるため、取付物固定部を受け座部に対してある程度傾けると、取付物固定部が受け座部の上で滑り易いという問題があった。
【０００６】
そこで、本発明は、基礎に対する設置構造物の傾斜角度調整の作業性を向上させることを目的とする。
【課題を解決するための手段】
【０００７】
本発明の第１の態様は、第１締結部材を介して基礎に固定される球面受け部材と、第２締結部材を介して設置構造物に固定され、前記球面受け部材に第３締結部材を介して締結される球面固定部材と、を備える球面状支持部材である。前記球面受け部材は、前記基礎に当接する平坦部と、この平坦部に接続され上方に凸となるように膨出形成される凸状部と、この凸状部の中央部に設けられ下方に凹となる曲面に形成される凹状面部と、を有する。前記球面固定部材は、前記設置構造物に当接する平坦部と、この平坦部に接続され下方に凸となるように膨出形成される凸状部と、この凸状部の中央部に設けられ、下方に凸となる曲面に形成されて前記球面受け部材の前記凹状面部と面接触する凸状面部と、を有する。
【０００８】
本発明の第２の態様は、前記球面状支持部材を利用した太陽光パネル用架台の固定構造である。この固定構造では、前記球面受け部材を基礎に前記第１締結部材により固定し、前記球面固定部材を太陽光パネル用架台の支柱に前記第２締結部材により固定する。
【発明の効果】
【０００９】
本発明に係る球面状支持部材では、球面受け部材の凹状面部を上向きにして、その球面受け部材の凹状面部の上に球面固定部材の凸状面部を面接触させることで、球面固定部材を安定的に球面受け部材の上に支持させることができ、球面固定部材が球面受け部材の上で滑るのを抑制することができる。したがって、本発明に係る球面状支持部材によれば、基礎に対する設置構造物の傾斜角度調整の作業性を向上させることができる。
【図面の簡単な説明】
【００１０】
【図１】本発明の実施形態に係る球面状支持部材を利用した太陽光パネル用架台の固定構造の斜視図である。
【図２】本発明の実施形態に係る球面状支持部材を利用した太陽光パネル用架台の固定構造の断面図である。
【図３】球面受け部材と球面固定部材との締結状態を示す分解斜視図である。
【図４】球面固定部材を球面受け部材に対して傾けて締結した状態を示す一部破断斜視図である。
【図５】球面受け部材と球面固定部材とを締結した状態を示す断面図である。
【発明を実施するための形態】
【００１１】
以下、本発明の実施形態を図面と共に詳述する。なお、図面において、矢印Ｘは太陽光パネル用架台の幅方向（横方向）を示し、矢印Ｙは太陽光パネル用架台の奥行き方向（縦方向）を示し、矢印Ｚは太陽光パネル用架台の高さ方向を示す。また、太陽光パネル用架台は設置構造物の一例であって、設置構造物は本実施形態に限定されない。
【００１２】
本実施形態に係る球面状支持部材１は、太陽光パネルをはじめとする太陽光・太陽熱利用装置を固定する設置構造物を支持するための支持部材である。
【００１３】
図１及び図２に示すように、本実施形態に係る球面状支持部材１は、第１締結部材２を介して基礎３に固定される球面受け部材４と、第２締結部材５を介して太陽光パネル用架台（設置構造物）６に固定され、球面受け部材４に第３締結部材７を介して締結される球面固定部材８と、を備える。すなわち、本実施形態に係る太陽光パネル用架台６の固定構造では、球面受け部材４を基礎３に第１締結部材２により固定し、球面固定部材８を太陽光パネル用架台６の支柱６ａに第２締結部材５により固定し、さらに、球面受け部材４と球面固定部材８とを第３締結部材７により締結している。なお、図１及び図２中、符号１０は太陽光パネル用架台６の支柱６ａの下端に固定されたファスナーを示し、符号１１はファスナー１０に複数固定されたブレースを示す。
【００１４】
球面受け部材４は、基礎３の上面に当接する平坦部４ａと、平坦部４ａに接続され上方に凸となるように膨出形成される凸状部４ｂと、凸状部４ｂの中央部に設けられ下方に凹となる曲面に形成される凹状面部４ｃと、を有する。平坦部４ａは円環形状とされ、平坦部４ａの内周縁部に、球面固定部材８側（上方）に凸となるように膨出形成される凸状部４ｂが接続され、凸状部４ｂの中央部に、球面固定部材８側とは反対側（下方）に凹となる曲面に形成される凹状面部４ｃが形成されている。凹状面部４ｃは、半球形状とされ、所定の曲率を有している。球面受け部材４は、アルミニウム合金により一体成形され、前記凸状部４ｂ及び前記凹状面部４ｃは、絞り加工により球面受け部材４に形成されたものである。すなわち、球面受け部材４は、アルミニウム合金製の円板材から絞り加工により形成されたものである。
【００１５】
前記第１締結部材２は、ボルト１２及びナット１３からなる。球面受け部材４の平坦部４ａには、第１締結部材２を構成するボルト１２を挿通するための第１ボルト孔１４が上下方向に貫通形成されており、この第１ボルト孔１４は、長穴形状に形成されている。本実施形態では、第１ボルト孔１４は、Ｘ方向に沿って延設されたものと、Ｙ方向に沿って延設されたものとの２種類が球面受け部材４の平坦部４ａに形成されている。また、これらの第１ボルト孔１４は、球面受け部材４の平坦部４ａに周方向に等間隔で設けられている。本実施形態に係る太陽光パネル用架台６の固定構造では、延設方向の異なる２種類の第１ボルト孔１４のうち、Ｙ方向に沿って延設されたもののみにボルト１２を挿通して、球面受け部材４を基礎３に固定している。
【００１６】
球面固定部材８は、太陽光パネル用架台６の支柱６ａの下端に固定されたファスナー１０の下面に当接する平坦部８ａと、平坦部８ａに接続され下方に凸となるように膨出形成される凸状部８ｂと、凸状部８ｂの中央部に設けられ、下方に凸となる曲面に形成されて球面受け部材４の凹状面部４ｃと面接触する凸状面部８ｃと、を有する。平坦部８ａは円環形状とされ、平坦部８ａの内周縁部に、球面受け部材４側（下方）に凸となるように膨出形成される凸状部８ｂが接続され、凸状部８ｂの中央部に、球面受け部材４側（下方）に凸となる曲面に形成される凸状面部８ｃが形成されている。凸状面部８ｃは、半球形状とされ、球面受け部材４の凹状面部４ｃの曲率とほぼ同じ曲率を有している。球面固定部材８は、アルミニウム合金により一体成形され、前記凸状部８ｂ及び前記凸状面部８ｃは、絞り加工により球面固定部材８に形成されたものである。すなわち、球面固定部材８は、アルミニウム合金製の円板材から絞り加工により形成されたものである。
【００１７】
前記第２締結部材５は、ボルト１５及びナット１６からなる。球面固定部材８の平坦部８ａには、第２締結部材５を構成するボルト１５を挿通するための第２ボルト孔１７が上下方向に貫通形成されており、この第２ボルト孔１７は、長穴形状に形成されている。本実施形態では、第２ボルト孔１７は、Ｘ方向に沿って延設されたものと、Ｙ方向に沿って延設されたものとの２種類が球面固定部材８の平坦部８ａに形成されている。また、これらの第２ボルト孔１７は、球面固定部材８の平坦部８ａに周方向に等間隔で設けられている。本実施形態に係る太陽光パネル用架台６の固定構造では、延設方向の異なる２種類の第２ボルト孔１７のうち、Ｘ方向に沿って延設されたもののみにボルト１５を挿通して、球面固定部材８を太陽光パネル用架台６の支柱６ａに固定している。
【００１８】
前記第３締結部材７は、ボルト１８及びナット１９からなる。球面受け部材４の凹状面部４ｃ及び球面固定部材８の凸状面部８ｃにそれぞれ、ボルト１８を挿通するためのボルト孔２０，２１が形成されている。ボルト孔２０は前記凹状面部４ｃの中央部に上下方向に貫通形成され、ボルト孔２１は前記凸状面部８ｃの中央部に上下方向に貫通形成されている。球面受け部材４の凹状面部４ｃに形成されたボルト孔２０及び球面固定部材８の凸状面部８ｃに形成されたボルト孔２１の少なくとも一方は、長穴形状に形成される。本実施形態に係る球面状支持部材１では、球面受け部材４の凹状面部４ｃに形成されたボルト孔２０は、ネジ穴形状に形成され、球面固定部材８の凸状面部８ｃに形成されたボルト孔２１が、長穴形状に形成されている。
【００１９】
図３に示すように、球面受け部材４と球面固定部材８との締結は、ボルト１８及びナット１９（第３締結部材７）を介して行う。具体的には、まず、球面受け部材４の凹状面部４ｃに形成されたボルト孔２０にボルト１８のネジ部を下方から螺合し、このボルト１８のネジ部の先端をボルト孔２０から突出させる。さらに、ボルト１８のネジ部を球面固定部材８の凸状面部８ｃに形成されたボルト孔２１に挿入して、このボルト１８のネジ部の先端をボルト孔２１から突出させる。そして、前記ボルト孔２１から突出したボルト１８のネジ部にナット１９を締め付けると、球面受け部材４と球面固定部材８とが締結される。さらに、この球面受け部材４と球面固定部材８との締結の際には、図４に示すように、球面固定部材８を球面受け部材４に対して傾けることで、所望の傾斜角度をつけて球面受け部材４と球面固定部材８とをボルト１８及びナット１９により締結することができる。
【００２０】
以下に、本実施形態による作用効果を説明する。
【００２１】
（１）本実施形態に係る球面状支持部材１は、第１締結部材２を介して基礎３に固定される球面受け部材４と、第２締結部材５を介して太陽光パネル用架台（設置構造物）６に固定され、球面受け部材４に第３締結部材７を介して締結される球面固定部材８と、を備える。球面受け部材４は、基礎３に当接する平坦部４ａと、平坦部４ａに接続され上方に凸となるように膨出形成される凸状部４ｂと、凸状部４ｂの中央部に設けられ下方に凹となる曲面に形成される凹状面部４ｃと、を有する。球面固定部材８は、太陽光パネル用架台６に当接する平坦部８ａと、平坦部８ａに接続され下方に凸となるように膨出形成される凸状部８ｂと、凸状部８ｂの中央部に設けられ、下方に凸となる曲面に形成されて球面受け部材４の凹状面部４ｃと面接触する凸状面部８ｃと、を有する。
【００２２】
本実施形態に係る球面状支持部材１では、球面受け部材４に形成された凹状面部４ｃ及び球面固定部材８に形成された凸状面部８ｃが共に曲面形状であることから、球面受け部材４に形成された凹状面部４ｃと球面固定部材８に形成された凸状面部８ｃとを互いにスムーズに摺接させることができる。また、球面固定部材８を球面受け部材４に対して傾けることで、所望の傾斜角度をつけて球面受け部材４と球面固定部材８とをボルト１８及びナット１９（第３締結部材７）により締結することができる。
【００２３】
本実施形態に係る球面状支持部材１では、球面受け部材４の凹状面部４ｃを上向きにして、その球面受け部材４の凹状面部４ｃの上に球面固定部材８の凸状面部８ｃを面接触させることで、球面固定部材８の回転中心Ｏが球面固定部材８の重心（図心）Ｇよりも上方に位置し、且つ、前記回転中心Ｏと前記重心（図心）Ｇとの間の距離が比較的短くなる。このため、図５中に二点鎖線で示されるように、球面固定部材８を球面受け部材４に対してある程度傾けたとしても、球面固定部材８の凸状面部８ｃが球面受け部材４の凹状面部４ｃに沿って滑る力を比較的小さく抑えることができる。したがって、本実施形態に係る球面状支持部材１によれば、球面固定部材８を安定的に球面受け部材４の上に支持させることができ、球面固定部材８が球面受け部材４の上から滑り落ちるのを抑制することができる。また、球面受け部材４による球面固定部材８の支持性の向上は、球面受け部材４と球面固定部材８との固定強度の向上にも寄与する。
【００２４】
以上より、本実施形態に係る球面状支持部材１によれば、基礎３に対する太陽光パネル用架台６の傾斜角度調整の作業性を向上させることができる。
【００２５】
（２）本実施形態に係る球面状支持部材１においては、第３締結部材７は、ボルト１８及びナット１９からなる。球面受け部材４の凹状面部４ｃ及び球面固定部材８の凸状面部８ｃにそれぞれ、ボルト１８を挿通するためのボルト孔２０，２１が形成されている。球面受け部材４の凹状面部４ｃに形成されたボルト孔２０及び球面固定部材８の凸状面部８ｃに形成されたボルト孔２１の少なくとも一方は、長穴形状に形成される。
【００２６】
球面受け部材４の凹状面部４ｃに形成されたボルト孔２０及び球面固定部材８の凸状面部８ｃに形成されたボルト孔２１の少なくとも一方を、長穴形状に形成することにより、所望の傾斜角度をつけて球面受け部材４と球面固定部材８とをボルト１８及びナット１９により締結することができる（図４参照）。
【００２７】
（３）本実施形態に係る球面状支持部材１においては、第１締結部材２及び第２締結部材５はそれぞれ、ボルト１２，１５及びナット１３，１６からなる。球面受け部材４の平坦部４ａに、第１締結部材を構成するボルト１２を挿通するための第１ボルト孔１４が形成され、球面固定部材８の平坦部８ａには、第２締結部材５を構成するボルト１５を挿通するための第２ボルト孔１７が形成されている。第１ボルト孔１４及び第２ボルト孔１７は、長穴形状に形成されており、第１ボルト孔１４と第２ボルト孔１７とで、長穴の延設方向が互いに異なっている。
【００２８】
これにより、球面状支持部材１を介して基礎３と太陽光パネル用架台６とを固定する際の位置決め調整を行い易くすることができる。本実施形態に係る球面状支持部材１においては、球面受け部材４はボルト１２をガイドにしてＹ方向に動かすことができ、球面固定部材８はボルト１５をガイドにしてＸ方向に動かすことができる。
【００２９】
（４）本実施形態に係る球面状支持部材１においては、球面受け部材４の凹状面部４ｃ及び球面固定部材８の凸状面部８ｃは、絞り加工により形成されたものである。
【００３０】
これにより、比較的複雑な形状を持つ前記凹状面部４ｃ及び前記凸状面部８ｃを比較的容易に加工することができると共に、比較的高い寸法精度で加工することができる。その際、球面状支持部材１（球面受け部材４及び球面固定部材８）が円板形状であると加工に有利である。
【００３１】
（５）本実施形態に係る球面状支持部材１においては、球面受け部材４及び球面固定部材８は、アルミニウム合金から形成される。
【００３２】
これにより、これらの各部材を鋼材からなるものとした場合と比較すると、球面状支持部材１全体を軽量化することが可能になる。また、これらの各部材の寸法精度を高めることができ、太陽光パネル用架台６の設置を容易かつ正確に行うことができると共に、優れた耐食性および外観を得ることができる。さらに、アルミニウム合金はリサイクル性に比較的優れているため、太陽光パネル用架台６の撤去後に球面受け部材４及び球面固定部材８の材料を再利用することができる。
【００３３】
（６）本実施形態に係る太陽光パネル用架台６の固定構造は、前記球面状支持部材１を利用したものである。この固定構造では、球面受け部材４を基礎３に第１締結部材２により固定し、球面固定部材８を太陽光パネル用架台６の支柱６ａに第２締結部材５により固定する。
【００３４】
これにより、太陽光パネル用架台６を設置する地面（又は基礎）が傾斜していても、太陽光パネル用架台６を所望の設置角度に設置することができ、地面（又は基礎）の傾斜が太陽光パネル用架台６に及ぼす影響を緩和させることができる。
【００３５】
ところで、本発明の球面状支持部材及び太陽光パネル用架台の固定構造は前述の実施形態に例をとって説明したが、この実施形態に限ることなく本発明の要旨を逸脱しない範囲で他の実施形態を各種採用することができる。
【符号の説明】
【００３６】
１  球面状支持部材
２  第１締結部材
３  基礎
４  球面受け部材
４ａ  平坦部
４ｂ  凸状部
４ｃ  凹状面部
５  第２締結部材
６  太陽光パネル用架台（設置構造物）
６ａ  支柱
７  第３締結部材
８  球面固定部材
８ａ  平坦部
８ｂ  凸状部
８ｃ  凸状面部
１２  ボルト（第１締結部材）
１３  ナット（第１締結部材）
１４  第１ボルト孔
１５  ボルト（第２締結部材）
１６  ナット（第２締結部材）
１７  第２ボルト孔
１８  ボルト（第３締結部材）
１９  ナット（第３締結部材）
２０  凹状面部に形成されたボルト孔
２１  凸状面部に形成されたボルト孔
【図１】
2016005326.tif 000003
【図２】
2016005326.tif 000004
【図３】
2016005326.tif 000005
【図４】
2016005326.tif 000006
【図５】
2016005326.tif 000007